(57)【要約】【課題】上下方向における商品陳列空間を有効に利用することのできる表示用ユニット及びこれを用いた陳列用具を提供すること。【解決手段】陳列什器に対して前後方向に延びるユニット支持部材１４と、このユニット支持部材の下方位置に併設された商品保持部材１６と、ユニット支持部材の前部に着脱自在に装着された表示部材２１を含む表示用ユニット１２とにより陳列用具１０が構成されている。表示部材２１は、常時は表示面２１Ａが前方向きとなる表示位置を保持するように設けられる一方、表示面２１Ａが上方向きとなる退避位置に移動したときに、当該退避位置を保持するロック手段５０を備えている。【選択図】          図１
2004229984.tif 000002
【特許請求の範囲】
【請求項１】
ユニット本体と、当該ユニット本体に対して所定の表示位置と退避位置との間で移動可能に設けられた表示部材とを含む表示用ユニットにおいて、
前記表示部材は、常時は表示位置を保持するように設けられ、
前記表示部材を退避位置に移動させた時に当該退避位置を保持するロック手段を備えていることを特徴とする表示用ユニット。
【請求項２】
ユニット本体と、当該ユニット本体に対して所定の表示位置と退避位置との間で移動可能に設けられた表示部材とを含む表示用ユニットにおいて、
前記表示部材は、常時は表示面が前方向きとなる表示位置を保持するように設けられ、
前記表示面が上方向きとなる退避位置に移動したときに、当該退避位置を保持するロック手段を備えていることを特徴とする表示用ユニット。
【請求項３】
前記表示部材は、薄肉のヒンジ部を介して前記ユニット本体と一体に設けられていることを特徴とする請求項１又は２記載の表示用ユニット。
【請求項４】
前記ロック手段は、前記ユニット本体と表示部材との間に設けられた屈曲部材により構成され、この屈曲部材は、前記表示部材を表示位置に保つ力を付与する一方、表示部材が前記退避位置に移動したときに、前記力の付与方向を転換して当該退避位置を保持する力を付与することを特徴とする請求項１，２又は３記載の表示用ユニット。
【請求項５】
前後方向に延びるユニット支持部材と、このユニット支持部材の下方位置に併設された商品保持部材とを含む支持体と、前記ユニット支持部材の前部に着脱自在に装着された表示部材を含む表示用ユニットとを備えた陳列用具において、
前記表示部材は、常時は表示面が前方向きとなる表示位置を保持するように設けられ、
前記表示面が上方向きとなる退避位置に移動したときに、当該退避位置を保持するロック手段を備えていることを特徴とする陳列用具。
【発明の詳細な説明】
【０００１】
【発明の属する技術分野】
本発明は表示用ユニット及びこれを用いた陳列用具に係り、更に詳しくは、商品を吊り下げた状態で陳列する場合の当該商品情報の表示機能を備えた表示用ユニット及びこれを用いた陳列用具に関する。
【０００２】
【従来の技術】
従来より、例えば、文具或いは日用小物類等の商品を個々若しくは複数を梱包単位としてパッケージし、当該パッケージの上部に形成された穴を利用して商品を多数吊り下げた状態で陳列することが行われている。また、パッケージの上部に穴を設けずに、当該パッケージの上端から突出するフックを設けておき、このフックを利用して商品を陳列することも行われている。
【０００３】
商品陳列に用いられる陳列用具としては、例えば、図７に示されるタイプのものが知られている。この陳列用具は、線材Ｗを格子状に配設してなるメッシュ領域を含む図示しない陳列什器に対し、前後方向に延びる丸軸状の支持部材７１と、この支持部材７１の前端部に取り付けられた表示用ユニット７２と、支持部材７１と略平行に併設される丸軸状の商品保持部材７３と、これら支持部材７１と商品保持部材７３の一端側すなわち後端側に設けられた連結部材７４と、当該連結部材７４の後端に溶接等の手段を介して取り付けられたフック部材７５とを備えて構成されている。この陳列用具は、フック部材７５を横方向に配設された線材Ｗに引っ掛けて陳列什器の前方領域に支持され、これにより、当該前方領域に多数の商品Ｇが吊り下げられた状態で陳列可能となる。
【０００４】
前記表示用ユニット７２は、透光性を有する樹脂プレート等により構成されており、当該表示用ユニット７２の前面を表示面として商品Ｇの品名や、価格等の商品関連情報を表示した表示片７７が貼着され、或いは、二枚厚としてプレート間の隙間に挟んで保持されるようになっている。ここで、表示用ユニット７２は、支持部材７１の前端側に蝶番８０等を介して取り付けられており、常時は表示面が略鉛直面内に位置する表示位置を取る一方、必要に応じて上方へ反転させて支持部材７１と商品保持部材７３の前端間を開放する退避位置まで回転移動できるようになっている（図８参照）。なお、商品Ｇのパッケージには、その上端部に丸穴Ｈ（図７参照）が形成されており、この丸穴Ｈに商品保持部材７３が貫通することで、当該商品保持部材７３の軸方向に沿って同一商品が多数個陳列可能となる。従って、消費者は、最前方に位置する商品Ｇを商品保持部材７３から抜き出して取り出すことができる。
【０００５】
【発明が解決しようとする課題】
しかしながら、このような陳列用具にあっては、商品Ｇを補充若しくは入れ替えるときに、表示用ユニット７２を上方に回転移動させて商品保持部材７３の前端と支持部材７１の前端との間の領域を開放しなければならない。この場合、表示用ユニット７２は、商品保持部材７３の前方位置で略水平位置で静止することができず、表示位置とは略１８０度反対側となる上方を退避位置として反転させなければならない。従って、表示用ユニット７２の自由端７２Ａが移動する回転軌跡と干渉することのない位置、すなわち、図８の状態では、前記自由端７２Ａよりも上方に上段側の商品Ｇの下端Ｇ１が位置するように配置しなければならないという制約がある。つまり、上段の商品Ｇの下端Ｇ１と下段の支持部材７１の上縁７１Ａとの間には、少なくとも高さＨ分に相当するスペースを設けることが必要となり、これが上下方向における陳列空間を無駄に消費する要因となり、ひいては陳列する商品Ｇの配置変更等、レイアウトの選択自由度も狭める不都合となる。
【０００６】
【発明の目的】
本発明は、このような不都合に着目して案出されたものであり、その目的は、上下方向における商品陳列空間を有効に利用することのできる表示用ユニット及びこれを用いた陳列用具を提供することにある。
【０００７】
【課題を解決するための手段】
前記目的を達成するため、本発明は、ユニット本体と、当該ユニット本体に対して所定の表示位置と退避位置との間で移動可能に設けられた表示部材とを含む表示用ユニットにおいて、
前記表示部材は、常時は表示位置を保持するように設けられ、
前記表示部材を退避位置に移動させた時に当該退避位置を保持するロック手段を備える、という構成を採っている。ここで、表示部材は、表示面が前方向きとなる位置を表示位置とする一方、表示面が上方向きとなる位置を退避位置とすることが好ましい。このような構成とすれば、表示部材を退避位置としたときに、当該表示部材を略水平若しくはこれに近い状態に保つことができる。従って、表示部材がユニット本体の上方に高く立ち上がるような状態を回避することができるようになり、陳列用具の部品として適用したときに、上段側に陳列される商品の下端との間に無駄な空間を形成することがない。
【０００８】
また、本発明は、前後方向に延びるユニット支持部材と、このユニット支持部材の下方位置に併設された商品保持部材とを含む支持体と、前記ユニット支持部材の前部に着脱自在に装着された表示部材を含む表示用ユニットとを備えた陳列用具において、
前記表示部材は、常時は表示面が前面側となる表示位置を保持するように設けられ、
前記表示面が上面側となる退避位置に移動したときに、当該退避位置を保持するロック手段を備える、という構成を採り、これにより、上下方向における商品陳列空間の有効利用を図ることができる。また、表示用ユニットを前記支持体に着脱自在としたことにより、既存の支持体に対して適用することができる汎用性も付与することが可能となる。
【０００９】
【発明の実施の形態】
本発明において、前記表示部材は、薄肉のヒンジ部を介して前記ユニット本体と一体に設けることが好ましい。このような構成では、型による一体成形により、生産コストを抑制できる他、蝶番等の部材を用いる必要性を廃した部品点数の削減を図ることができる。
【００１０】
また、前記ロック手段は、前記ユニット本体と表示部材との間に設けられた屈曲部材により構成され、この屈曲部材は、前記表示部材を表示位置に保つ力を付与する一方、表示部材が前記退避位置に移動したときに、前記力の付与方向を転換して当該退避位置を保持する力を付与するように設けるとよい。このような構成では、表示部材が常に一定の表示位置に保たれる一方、退避位置にしたときに、当該位置に保たれるようになり、表示部材が退避位置から表示位置に不用意に移動してしまうことはなく、陳列対象とする商品の交換、配置変更、補充等の作業性も良好に確保することができる。
【００１１】
【実施例】
以下、本発明の実施例を図面を参照しながら説明する。
【００１２】
図１には、本実施例に係る陳列用具の概略側面図が示され、図２には、表示用ユニットの拡大斜視図が示されている。これらの図において、陳列用具１０は、支持体１１と、当該支持体１１に支持された表示用ユニット１２とにより構成されている。支持体１１は、ステンレス等からなる丸軸材料を側面視略コ字状となるように折り曲げて形成されており、略水平方向に前後に延びるユニット支持部材１４と、このユニット支持部材１４の後端すなわち図１中左端に連なって略鉛直向きとなる連結部材１５と、この連結部材１５の下部に連なるとともに、ユニット支持部材１４の下方位置で当該ユニット支持部材１４と略平行に延びる商品保持部材１６と、前記連結部材１５の後端縁に溶接等の手段を介して固定されたフック部材１７とにより構成されている。
【００１３】
前記ユニット支持部材１４は、その前端に、当該ユニット支持部材１７の軸線に対して図１中紙面直交方向に延びる交差軸部１８が設けられ、この交差軸部１８により、前記表示用ユニット１２をユニット支持部材１４の前部に装着したときに当該ユニット支持部材１４の軸回りに表示用ユニット１２が回転できないようになっている。また、商品保持部材１６は、ユニット支持部材１４の長さよりも短い長さに設けられ、その前端側は、保持された商品Ｇの脱落を防止する上向き屈曲部１６Ａとして形成されている。
【００１４】
前記フック部材１７は、その上部に反転Ｕ字状のフック１７Ａを備え、そのＵ字の内側に図示しない陳列什器のメッシュ領域を形成する線材Ｗが位置する一方、フック部材１７の下部後縁に下段側の線材Ｗが接触するようになっている。従って、陳列用具１０を陳列什器に装着した状態、すなわち、前記線材Ｗに引っ掛けた状態で、ユニット支持部材１４及び商品保持部材１６が陳列什器の前方領域に突出して略水平姿勢に保たれることとなる。
【００１５】
前記表示用ユニット１２は、合成樹脂材料を用いて形成された一体成形品により構成されている。この表示用ユニット１２は、ユニット本体２０と、当該ユニット本体２０に対して所定の表示位置と退避位置との間で移動可能に設けられた表示部材２１とを備えて構成されている。ユニット本体２０は、図２ないし図４に示されるように、ユニット支持部材１４の前部に着脱自在に装着される装着部形成体２５と、この装着部形成体２５の前部中間領域の下縁に薄肉のヒンジ部２６（図４（Ａ）参照）を介して連結された前方部材２７と、この前方部材２７を中間に挟む位置で、前記装着部形成体２５の下縁に薄肉のヒンジ部２９（図４（Ｃ）参照）を介して連結されるとともに、側面視略Ｌ字状をなす一対の翼部材３０，３０と、前記装着部形成体２５の下部前方中央に連なって斜め下前方に向けられた弾性変形可能なアーム部材３２とにより構成されている。ここで、前記前方部材２７及び翼部材３０は、それぞれヒンジ部２６，２９を介して装着部形成体２５に連結されているため、前記表示部材２１の前方より後方への押圧力が付与されたときに、当該表示部材２１と共に図１中時計方向に回転することとなり図６参照）、前記押圧力が解除されたときに、アーム部材３２の弾性復元力によって初期位置に復帰することとなる。
【００１６】
前記装着部形成体２５は、前記ユニット支持部材１４の前部を受容する略トンネル状の空間Ｃを備えたカバー３４と、このカバー３４の前部位置で前記トンネルを横切る方向に延びる平面視略長方形状の板状部３５と、この板状部３５の下面側に連なるとともに、前記交差軸部１８を受け入れてこれを保持するようにカバー３４側に開放する側面視略半円弧状の受容部材３６とからなる。カバー３４の内面側下部には前記空間Ｃの裾幅を狭くする隆起部３４Ａ，３４Ａが形成されており、これら隆起部３４Ａ，３４Ａを乗り越えて空間Ｃにユニット支持部材１４を強制的に嵌め込むことにで当該ユニット支持部材１４に表示用ユニット１２が脱落不能に支持される。
【００１７】
前記前方部材２７は、前記一対の翼部材３０，３０の相対する内面３１，３１間において、前記板状部３５に連なる前片部４０と、この前片部４０の前端に連なって斜め下前方に向けられた傾斜片部４１（図４（Ａ）参照）とにより構成されている。前片部４０は、その上面側に前記ユニット支持部材１４の延出方向に沿って延びる一対の山形隆起部４４，４４を備え、それら山形隆起部４４，４４の頂部に、薄肉のヒンジ部４６を介して前記表示部材２１が連結され、これにより、表示部材２１は、ユニット本体２０と一体に形成された状態で、当該ユニット本体２０に対して相対回転する方向に移動可能となる。また、山形隆起部４４，４４間において、前記前片部４０の上面側は、面位置が若干低く設けられた溝部４８が形成されている。この溝部４８の領域内に、ロック手段を構成する片状の屈曲部材５０の略半分領域が受容され、当該屈曲部材５０の後端側が溝部４８の後端側に薄肉のヒンジ部５２を介して連結されている。
【００１８】
前記翼部材３０，３０は、側面視略Ｌ字状をなし、その長片部３０Ａが前記板状部３５と略同一平面上に位置する一方、短片部３０Ｂが前方に位置して前記前方部材２７の傾斜片部４１と略同一面内に位置するようになっている。ここで、短片部３０Ｂと前記傾斜片部４１の各前面は、表示用ユニット１２の上部後面に面接触可能とされている。
【００１９】
前記アーム部材３２は薄片状に延びる長片部３２Ａと、当該長片部３２Ａの前端部に形成されるとともに、下向き後方に向けられた略半円弧状の折り曲げ部３２Ｂとにより構成されている。このアーム部材３２は、常時は前記長片部３２Ａが直線的に延びる初期形状を備え、前記表示部材２１に対して前方より後方に向かう押圧力が付与されたときに、その押圧力によって略弓なりに変形し、且つ、押圧力を解除したときに、前記初期形状に復帰可能な弾力を備えて構成されている。また、アーム部材３２は、それが初期形状を保つことにより、前方部材２７の前片部４０と、翼部材３０の長片部３０Ａ，３０Ａを装着部形成体２５の板状部３５と略同一平面上に位置させる。
【００２０】
前記表示部材２１は略方形の板状をなし、表示面２１Ａが前方向きとなって下端２１Ｂが上端２１Ｃよりも若干前方に位置する傾斜状態を表示位置として保持されている。この表示部材２１は、特に限定されるものではないが、上下方向幅が約２０ｍｍ程度とされ、その表示面２１Ａには、商品Ｇに関する品名、価格等の商品情報を表示するラベル等が貼付され、これにより、消費者が商品情報を視認できるようになっている。表示面２１Ａにおいて、その上部中央には、前記溝部４８に連なる溝部５５（図４（Ａ）参照）が上下方向に沿って形成されており、この溝部５５内に前記屈曲部材５０の残り半分領域が受容され、当該屈曲部材５０の前端が溝部５５の図４（Ａ）中下端部に薄肉のヒンジ部５６を介して連結されている。また、表示部材２１は、前記山形隆起部４４における頂部のヒンジ部４６を回転中心として回転可能とされ、表示部材２１の自由端となる下端２１Ｂが上端２１Ｃよりも僅かに上方となる略水平に近い退避位置に移動したときに、前記屈曲部材５０によって当該退避位置が保持されるようになっている。
【００２１】
次に、前記陳列用具１０及び表示用ユニット１２の作用について、図５及び図６をも参照しながら説明する。
【００２２】
陳列用具１０は、図示しない陳列什器のメッシュ領域を形成する線材Ｗに対して前記フック１７Ａを引っ掛けることにより所定箇所に装着され、この状態で、商品保持部材１６に対し、上向き屈曲部１６Ａを商品Ｇのパッケージに形成された図示しないパンチング穴に挿入することで、多数の同一商品Ｇを前後方向に並べて陳列することができる。
【００２３】
表示用ユニット１２は、前記表示部材２１の表示面２１Ａに所定の商品表示情報を示したラベルが貼付され、表示部材２１は、前記表示位置で静止した状態に保たれる。この状態では、表示部材２１の下端２１Ｂは商品保持部材１６の前端１６Ｂ位置よいも僅かに高い位置の前方にある。図１の状態では、商品保持部材１６の前端１６Ｂと表示部材２１の下端２１Ｂとの間が大きなスペースを有するように見えるが、実際のスペースは、表示部材２１の時計方向への回転を許容する程度、すなわち、表示部材２１の上下方向幅（本実施例では約２０ｍｍ）よりも僅かに大きい程度のものである。
【００２４】
ここで、商品保持部材１６の最前端にある商品Ｇを前方に抜き出すようにして当該商品Ｇ取り出しを行うとした場合、商品保持部材１６の前方に表示部材２１が表示位置に保たれているため、パッケージの上部領域が表示部材２１の後面側にぶつかるようにして取り出される場合が通常となる。この際、表示部材２１はヒンジ部４６を介して山形隆起部４４に連結されているため、下端２１Ｂが図１中半時計方向に回転して商品Ｇの取り出しを妨げることがないように一時的に退避位置に向かう回転移動を伴うこととなる。この回転移動が行われると、図５に示されるように、屈曲部材４０は初期の受容位置となる溝部４８，５５から抜け出して次第に突出する。この際、表示部材２１の回転角度は前記退避位置となる回転角度よりも小さいのが通常であるから、表示部材２１は、表示位置に戻される力を屈曲部材５０によって受けることとなる。従って、商品Ｇを表示部材２１よりも前方に取り出した後には、当該表示部材２１は、前記屈曲部材５０によって初期の表示位置まで戻されることとなる。
【００２５】
消費者が商品保持部材１６から商品Ｇを取り出した後に、当該商品Ｇを元に戻そうとする場合には、必然的に取り出し操作の反対操作を行うこととなる。すると、表示部材２１の表示面２１Ａ側に商品Ｇのパッケージがぶつかって押圧力を受ける場合を生ずる。表示部材２１にこのような押圧力が加えられると、図６に示されるように、前記アーム３２が弓なり変形し、前記ヒンジ部２６，２９を回転中心として表示部材２１の下端２１Ｂを表示位置から後方へ回転移動することを許容する。そして、この押圧力が解除されたとき、すなわち、商品Ｇのパッケージが表示部材２１の後面側に乗り越えたときに、当該表示部材２１は、アーム部材３２の弾性復元力で再び表示位置に戻ることとなる。
【００２６】
商品保持部材１６に対する商品Ｇの入れ替えや、補充を行う場合には、図５に示されるように、表示部材２１の下端２１Ｂを上端２１Ｃの位置よりも僅かに上方位置となる略水平位置まで半時計方向に回転させればよい（図５参照）。このとき、屈曲部材５０の後端側となるヒンジ部５２位置と、表示部材２１のヒンジ部４６位置との関係により、表示位置に戻そうとする力が及ばなくなり、これにより、表示部材２１の退避位置が保持されることとなる。そのため、表示用ユニット１２と商品保持部材１６との間の領域が開放した状態に保たれ、商品Ｇの入れ替え作業や補充作業をスムースに行うことができる。なお、商品Ｇの入れ替え作業等を終了した後は、前記表示部材２１に対して下方へ押し下げ力を付与すればよい。これにより、表示部材２１が僅かに時計方向に回転したときに、屈曲部材５０が溝部４８，５５に収まろうとする力で表示部材２１が表示位置に戻ることとなる。
【００２７】
従って、このような実施例によれば、表示部材２１が常時は表示位置に保たれて商品情報表示を常に安定した状態とすることができ、消費者による商品の出し入れを容易に許容して当該出し入れ作業を容易ならしめる、という効果を得る。しかも、販売店側のスタッフによって商品の補充、交換などを行う場合には、表示部材２１を退避位置に移動させることができるため、当該作業を極めて容易且つ迅速に行うことができる。
【００２８】
また、前記退避位置は、表示部材２１をユニット支持部材１４の軸線位置に対して大きく上方に回転させたものではなく、水平位置に近い状態に設定されているから、上段に別異の陳列用具を配置して商品を陳列する際に、当該上段側の商品の下端との間に無駄なスペースを形成することがなく、これにより、上下方向における商品の陳列空間を有効に利用することができる。
【００２９】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、材料、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記実施例では、前記実施例におけるロック手段は図示の屈曲部材５０に限らず、表示部材２１が前記退避位置を保持できる限りにおいて、その他の構成に代替可能である。
【００３１】
また、ユニット支持部材１４の前端部に交差軸部１８を設け、この交差軸部１８を受容する状態で表示用ユニット１２が装着された場合を図示、説明したが、交差軸部１８を設けることなく、表示用ユニット１２をユニット支持部材１４の軸先端に直接嵌め込むようにしてもよい。この場合には、表示用ユニット１２に受容部材３６を省略することができ、既存の陳列用具におけるユニット支持部材に適用することができる。
【００３２】
また、商品保持部材１６の長さは、ユニット支持部材１４の長さよりも短く設定された場合を示したが、表示部材２１の時計方向への回転移動を許容することができる限りにおいて、商品保持部材１６の前端１６Ｂ位置を表示部材２１の下端直後に位置させることもできる。
【００３３】
【発明の効果】
以上説明したように、本発明によれば、表示部材がユニット本体の上方に高く立ち上がるような状態を回避することができるようになり、陳列什器に適用したときに、上段側に陳列される商品の下端との間に無駄な空間を形成することがなく、上下方向における商品陳列空間の有効利用を図ることができる、という従来にない優れた効果を奏する表示用ユニット及びこれを用いた陳列用具を提供することができる。
【００３４】
また、前記表示部材は、ユニット本体と一体に設けられているから、蝶番等の部材を用いる必要性を廃した部品点数の削減を図って製造コストも削減することができる。
【００３５】
更に、表示部材を退避位置にしたときに、当該位置を保つロック手段を設けたから、表示部材が退避位置から表示位置に不用意に移動してしまうことがなくなり、陳列対象とする商品の交換、配置変更、補充等の作業性も良好に確保することができる。
【図面の簡単な説明】
【図１】陳列用具の概略側面図。
【図２】陳列用ユニットの拡大斜視図。
【図３】図２の一部分解斜視図。
【図４】（Ａ）は図２のＡ−Ａ線断面図、（Ｂ）は図２のＢ−Ｂ線断面図、（Ｃ）は図２のＣ−Ｃ線断面図。
【図５】表示部材を退避位置に移動させた状態を示す陳列用具の概略側面図。
【図６】保持部材に商品を保持させる際の表示部材の移動状態を示す陳列用具の概略側面図。
【図７】従来の陳列用具の概略斜視図。
【図８】従来の陳列用具の不都合を説明するための側面図。
【符号の説明】
１０  陳列用具
１２  表示用ユニット
１４  ユニット支持部材
１６  商品保持部材
２０  ユニット本体
２１  表示部材
２６  ヒンジ部
２９  ヒンジ部
３２  アーム部材
４６  ヒンジ部
５０  屈曲部材（ロック手段）
５６  ヒンジ部
【図１】
2004229984.tif 000003
【図２】
2004229984.tif 000004
【図３】
2004229984.tif 000005
【図４】
2004229984.tif 000006
【図５】
2004229984.tif 000007
【図６】
2004229984.tif 000008
【図７】
2004229984.tif 000009
【図８】
2004229984.tif 000010